(57)【要約】【課題】携帯電話やキーホルダー等のストラップに取付けて使用し得る簡易万年早見カレンダー付きのストラップ飾りを提供する。【解決手段】上端部に吊り下げ穴を有する凸設部を設けて中心部に穴を穿設した基体１の穴内径部に、回動体２を円周７等分の位置で位置決めして回動可能に嵌合させると共に、円周７等分の位置で基体１と回動体２に１月から２月迄の月表示３，…と、日曜日から土曜日迄の曜日表示４，…を相対して表示するように構成し、回動体２の円周の少なくとも３等分の位置に、ガイドピン５，５，５Ａをバネ６，６，６で付勢して放射状に出入自在に配設し、該ガイドピンの先端部が基体１の穴内径部に設けられたガイド溝７にガイドされて回動体２が回動し、配設されたガイドピンの一箇所のガイドピン５Ａの先端５ａがガイド溝７の円周７等分に設けられた凹穴７ａ，…に嵌入して位置決めされる構造である。【選択図】図１
0003117818.tif 000002
【実用新案登録請求の範囲】
【請求項１】
上端部に吊り下げ穴を有する凸設部を設けて中心部に穴を穿設した基体の穴内径部に、回動体を円周７等分の位置で位置決めして回動可能に嵌合させると共に、円周７等分の位置にて基体と回動体に１月から１２月迄の月表示と、日曜日から土曜日迄の曜日表示が相対して表示された構成にしてなることを特徴とする簡易万年早見カレンダー付きのストラップ飾り。
【請求項２】
基体に１月から１２月迄の月表示、回動体に日曜日から土曜日迄の曜日表示が施されてなることを特徴とする請求項１記載の簡易万年早見カレンダー付きのストラップ飾り。
【請求項３】
回動体の円周の少なくとも３等分の位置に、ガイドピンをバネで付勢して放射状に出入自在に配設し、ガイドピンの先端部が基体の穴内径部に設けられたガイド溝にガイドされて回動体が回動するようにすると共に、配設されたガイドピンの一箇所にガイドピン先端を、ガイド溝の円周７等分にして設けられた凹穴に嵌入させて位置決めされる構成にしてなることを特徴とする請求項１又は請求項２記載の簡易万年早見カレンダー付きのストラップ飾り。
【請求項４】
外径がおおむね２５〜３５ｍｍ、厚さが５〜６ｍｍで、表面が緩やかな球面の円盤状に形成されてなることを特徴とする請求項１乃至請求項３のいずれか１項に記載の簡易万年早見カレンダー付きのストラップ飾り。
【考案の詳細な説明】
【技術分野】
【０００１】
本考案は、携帯電話やキーホルダー等に取付けて使用する簡易万年早見カレンダー付きのストラップ飾りに関するものである。
【背景技術】
【０００２】
従来、基板と可動板を有して、その一方に曜日欄を設けると共に他方に日付欄を設け、同じく基板又は可動板の一方に年表示欄を設けると共に他方に月表示欄を設け、年表示欄の任意の年と月表示欄の任意の年と月表示欄の任意の月とを対応させたときに、曜日欄と日付欄も正しく対応するように調整した万年カレンダーは周知され、前記年表示欄に記載する年の表示を記号化すると共に、年間の暦のパターンが同一となる年に対して同一の記号を対応させた年号欄、西暦欄及び記号欄を有する記号対照表を備えたことを特徴とする万年カレンダーが提示されている。（例えば、特許文献１参照）
【０００３】
又、ダイヤル式月別カレンダーであって、このダイヤル式月別カレンダーの板面の裏面に数十年間の暦年を同心円状に印字した暦年板を着脱可能に軸着し、板面の裏面の１月から１２月までの暦月を同心円状に印字した暦月板を軸着し、板面の表面に日曜日から土曜日までの曜日を所定間隔を置いて円弧状に印字し、この印字の下方に扇形状に一月の七曜表を表示できる七曜表表示窓を開口し、板面の裏面に一月の暦日の初日が日曜日から土曜日までのいずれかの曜日で始まり逐次順送りに一月の暦月を七曜日になどらえて配列して表示した２８通りの七曜表パターンを扇形状に印字した暦日板を回動可能に軸着し、この暦日板を回動して２８通りの七曜表パターンの中の所望の七曜表パターンが前記七曜表表示窓より表示されるように設け、この七曜表パターンの夫々に設定番号を付与し、この設定番号を別に設けた各暦年の夫々の暦月の初日の曜日を一覧表にまとめて表示した対応カレンダー一覧表の設定番号と対応せしめ、前記板面を暦年を表示できる暦年表示窓及び暦月を表示できる暦月表示窓を設けたことを特徴とするダイヤル式月別万年カレンダーも提示されて周知されている。（例えば、特許文献２参照）
【０００４】
【特許文献１】実開平７−３９０６０号公報
【特許文献２】特開平９−２６９８４４号公報
【考案の開示】
【考案が解決しようとする課題】
【０００５】
しかしながら、上記特許文献１、特許文献２に提示されるものは、万年カレンダーで、その表示が複雑で多岐に亘り、表示物も大きくなることから、携帯電話やキーホルダー等に取付けるストラップ飾り等には適用し難い問題点（課題）があり、本考案はこのような問題点（課題）に鑑み、簡易な表示でコンパクト可能な簡易万年早見カレンダー付きのストラップ飾りを提供することを目的とする。
【課題を解決するための手段】
【０００６】
上記目的を達成するために、本考案は以下記載するような手段、すなわち、上端部に吊り下げ穴を有する凸設部を設けて中心部に穴を穿設した基体の穴内径部に、回動体を円周７等分の位置で位置決めして回動可能に嵌合させると共に、円周７等分の位置にて基体と回動体に１月から１２月迄の月表示と、日曜日から土曜日迄の曜日表示が相対して表示された構成にしてなることを特徴とする簡易万年早見カレンダー付きのストラップ飾りである。
【０００７】
前記基体と回動体に相対して表示される月表示と曜日表示は、基体に１月から１２迄の月表示、回動体に日曜日から土曜日迄の曜日表示が表示されてなることを特徴とするが、基体に日曜日から土曜日迄の曜日表示、回動体に１月から１２月迄の月表示を施しても良い。
【０００８】
又、基体の穴内径部に、回動体を円周７等分の位置で位置決めして回動可能に嵌合させる手段は、回動体の円周の少なくとも３等分の位置に、ガイドピンをバネで付勢して放射状に出入自在に配設し、ガイドピンの先端部が基体の穴内径部に設けられたガイド溝にガイドされて回動体が回動するようにすると共に、配設されたガイドピンの一箇所のガイドピン先端を、ガイド溝の円周７等分にして設けられた凹穴に嵌入させて位置決めされる構成にしてなることを特徴としており、その構成された大きさは、外径がおおむね２５〜３５ｍｍ、厚さが５〜６ｍｍで、表面が緩やかな球面の円盤状に形成されてなることを特徴とする。
【考案の効果】
【０００９】
上記手段にて記載する如く、本考案は上端部に吊り下げ穴を有する凸設部を設けて中心部に穴を穿設した基体の穴内径部に、回動体を円周７等分の位置で位置決めして回動可能に嵌合させると共に、円周７等分の位置で基体と回動体に１月から１２月迄の月表示と、日曜日から土曜日迄の曜日表示が相対して表示された構成であるから、表示が複雑多岐でなく簡易な表示でコンパクトに構成され、携帯電話やキーホルダー等のストラップ飾りとして適用できる。
【００１０】
又、回動体は円周７等分の位置で位置決めされて回動するような構成であるから、回動体を回し、１ステーションずつ進めて位置決めされた状態にするだけで、順次翌年の暦を簡易に読み取ることができると共に、逆に１ステーションずつ後退させて位置決めされた状態にすると順次過去の年の暦を簡易に読み取ることができる。
なお、閏年に当っては、閏年に合った暦表示に変える（表示の貼替え）で対応できる。
【考案を実施するための最良の形態】
【００１１】
本考案を実施するための最良の形態は、上端部に吊り下げ穴を有する凸設部を設けて中心部に穴を穿設した基体の穴内径部に、回動体を円周７等分の位置で位置決めして回動可能に嵌合させると共に、円周７等分の位置にて基体と回動体に１月から１２月迄の月表示と、日曜日から土曜日迄の曜日表示を相対して表示する形態であり、回動体の円周の少なくとも３等分の位置に、ガイドピンをバネで付勢して放射状に出入自在に配設し、ガイドピンの先端部が基体の穴内径部に設けられたガイド溝にガイドされて回動体が回動するようにすると共に、配設されたガイドピンの一箇所のガイドピン先端を、ガイド溝の円周７等分にして設けられた凹穴に嵌入させて位置決めするように構成した形態である。以下、実施例にて図面に基づき説明する。
【実施例１】
【００１２】
図１は、本考案の実施例を示す図面であり、（Ａ）は平面図、（Ｂ）は内部構造を示す平面断面図である。図示するように基体１は、中心部に穴１ａが穿設され、該穴の内径部には回動体２が円周７等分の位置で位置決めされて回動可能に嵌合させてあり、円周７等分の位置で基体１と回動体２に１月から１２月迄の月表示３，…と、日曜日から土曜日迄の曜日表示４，…が相対して表示してある。本実施例では、基体１に月表示３，…、回動体２に曜日表示４，…が施されて表示されており、基体１の方が回動体２より表示面積が広く取れるので字数の多い月表示３，…を基体１に表示するのが望ましいが、基体１に曜日表示４，…、回動体２に月表示３，…を施して表示しても良く、曜日表示は外国語（例えば英語等）の略文字でも良い。基体１の上端部には吊り下げ穴１ｂ穿設した凸設部１ｃが設けてあり、吊り下げ穴１ｂにストラップ紐又はストラップ紐に取付けられたリングを通して吊り下げられるようにしてある。
【００１３】
又、図１の（Ｂ）及び図１の（Ｂ）のＡ−Ａ断面図である図２に示すように基体１の穴１ａの穴内径部には、回動体２が回動可能に嵌合され、回動体２の円周３等分の位置にガイドピン５，５，５Ａがバネ６，６，６で付勢されて放射状に出入自在に配設され、ガイドピン５，５，５Ａの先端部が基体１の穴内径部に設けられたガイド溝７にガイドされて回動するようにしてあり、配設されたガイドピン５，５，５Ａの一箇所のガイドピン５Ａの先端５ａを球状に尖らせて、ガイド溝７の円周７等分にして設けられた凹穴７ａ，…に嵌入させることで７ステーションの位置決めができるようにしてある。形状は、表面が緩やかな球面の円盤状に形成し、大きさは外径がおおむね２５〜３５ｍｍ、厚さが５〜６ｍｍにしてストラップ飾りに適した大きさとする。
【００１４】
前記放射状に等分して配設されるガイドピンは３箇以上であれば限定されず４箇所でも、５箇所でも良いが、２箇所以下になると基体１と回動体２が同一面の状態で回動できなく不安定になるおそれがあり、適用できない。基体１及び回動体２は軽くて比較的弾力性のある肌触りの良い合成樹脂等で製作し、バネやガイドピン等は鋼等の金属で製作されるのが望ましい。
【００１５】
次に、以上のようにしてなる本考案により暦の読み取りについて説明する。図１は、西暦２００５年の月表示３，…と曜日表示４，…を基体１と回動体２にそれぞれ相対して表示した実施例であり、月初め（１日）は、２月・３月・１１月が火曜日、８月は月曜日、５月は日曜日、１月・１０月は土曜日、４月・７月は金曜日、９月・１２月は木曜日、６月は水曜日を示している。これに基づいて各月別の暦を読み取ることができるし、各月別の暦表を作成することもできる。
【００１６】
そして翌年になったら、回動体２を図３に示すように矢印の方向に回動させて１ステーション前進させた状態で位置決めされた状態とする。この状態は前記図１の状態より１ステーション前進させた状態で、西暦２００６年の暦の表示になる。この表示に基づいて前記同様各月別の暦を読み取ることができるし、各月別の暦表を作成することもできる。
【００１７】
このように回動体２を回動させて順次１ステーションずつ前進させ、位置決めして表示することにより将来の暦を読み取ることができるし、暦表を作成することもでき、さらに回動体２を矢印の方向とは逆に回動させて１ステーションずつ順次後退させることにより過去の年の暦を読み取ることもできる。
なお、閏年に当たる年については、基体１と回動体２に表示する月表示と曜日表示を貼替えるなどして対応すれば良い。
【００１８】
図４は、以上のようにしてなる本考案をストラップ紐８に取付けられたり、リング９を介して吊り下げるようにした斜視図であり、このようにして携帯電話やキーホルダー等に吊り下げて使用される。
【産業上の利用可能性】
【００１９】
本考案は、携帯電話やキーホルダー等に取付けて使用されるストラップ飾りのみならず、大きさを大きくして建物の壁等に吊り掛けて使用すれば、簡易万年早見カレンダー付き室内装飾品としても利用の可能性がある。
【図面の簡単な説明】
【００２０】
【図１】本考案の実施例を示す図面であり、（Ａ）は平面図、（Ｂ）は内部構造を示す平面断面図である。
【図２】図１の（Ｂ）のＡ−Ａ断面図である。
【図３】回動体を回動させて１ステーション進めた状態の平面図である。
【図４】ストラップ紐への取付例を示す斜視図である。
【符号の説明】
【００２１】
１  基体
１ａ  穴
１ｂ  吊り下げ穴
１ｃ  凸設部
２  回動体
３  月表示
４  曜日表示
５，５Ａ  ガイドピン
５ａ  先端
６  バネ
７  ガイド溝
７ａ  凹穴
８  ストラップ紐
９  リング
【図１】
0003117818.tif 000003
【図２】
0003117818.tif 000004
【図３】
0003117818.tif 000005
【図４】
0003117818.tif 000006